(57)【要約】      （修正有）【課題】墓石に螺子台座を固定し、螺子台座に花立て本体を固定する方法では、墓石と蓋の向きが合わない若しくは螺子部に異物混入等で向きが合わなくなる可能性がある。また害虫対策等として花立ての中に１０円硬貨を入れる場合があるが、これは硬貨であるので盗難の危険性があった。【解決手段】墓石に固定金具８を固定しその上から本体との締結をする螺子台座７を固定用螺子９とナットにより固定させる事により、ナットを緩める事で容易に螺子台座７を回転させることが出来き、この回転により墓石と蓋の向きを容易に合わせる事が可能となる。また害虫対策の面でも本体１内部下方に銅板を熔接等で固定させる事により、１０円硬貨を入れた状態と同様の効果を発揮出来き、また硬貨で無いため盗難に非常に有効な手段を提供する。【選択図】図１
0003134875.tif 000002
【実用新案登録請求の範囲】
【請求項１】
墓石１３に螺子台座７を取り付ける際に、螺子台座７内部のナット１０を調整する事により螺子台座７を回転させ開口する蓋２の向きを、自在に変更可能な事を特徴とする墓前用蓋付き花立て。
【請求項２】
本体１内部下方に銅板１２を取り付ける事により、ぼうふら等の害虫駆除等の殺菌に効果を発揮でき、且つ硬貨盗難等に対応可能な事を特徴とする墓前用蓋付き花立て。
【考案の詳細な説明】
【技術分野】
【０００１】
本考案は墓前用の上部開閉可能な蓋付き花立てに関するものである。
【背景技術】
【０００２】
従来から蓋付き花立ては存在していたが、花立て本体を螺子により固定させる方法は無く、蓋が回転するもの、本体自体が回転するもの等であった。
【０００３】
蓋を本体に固定させ且つ花立て本体を墓石に固定させる場合に初期の固定位置により、蓋を開口させた場合に墓石を正面から見た場合に開口した蓋を正面に合わせる必要があり、非常に手間が掛かったのに加え、一旦固定させてしまうと位置を合わせ直すのに非常に手間の掛かる作業を要した。
【０００４】
従来から墓石の花立てに１０円硬貨を入れると蚊が発生しにくいという言い伝えがあり、これは水分中に発生する銅イオン効果により高い殺菌効果を発生させる事によるものであるが、１０円硬貨を入れる事でも同様の効果を発揮出来るが、硬貨であるので盗難の可能性が発生した。
【特許文献１】特開平８−２０９９７８号公報
【考案の開示】
【考案が解決しようとする課題】
【０００５】
従来から蓋付き花立ては、花立て本体を墓石に予め明いている穴等に挿入して使用する
場合等には墓石と蓋の向きを容易に合わせられる為問題はないが、墓石に螺子台座を固定
し螺子台座に花立て本体を固定させる場合には花立て本体の着脱は容易に行えるが、固定
されている螺子部の着脱は容易ではなく螺子の締結の具合によっては、初期は墓石と蓋の
向きが合っていたのに、使用していくなかで螺子等に異物等が付着若しくは溜まる事によ
り、墓石と蓋の向きが合わなくなってくるため美観上問題が発生する。
【０００６】
また長期間放置すると、溜まった水が腐敗して悪臭を発生させたり、ぼうふら等の害虫が発生し衛生上問題があった。
【課題を解決するための手段】
【０００７】
本考案では墓石１３に固定させる螺子部を２つに分け、螺子台座７の下方に固定金具８
を設ける事により、螺子台座７と固定金具８を固定させている固定用螺子９とナット１０を調節する事により螺子台座７を回転させ墓石１３と蓋２の向きを固定後に容易に変更可能とした。
【０００８】
また、花立て内部下方に銅板を取り付ける事により、銅の殺菌効果により害虫発生等を低減出来き、また銅板は熔接等で固定されているので盗難防止に効果を発揮出来る。
【考案の効果】
【０００９】
本考案の墓前用蓋付き花立ては、蓋付き花立ての効果を実施可能である上に従来では難
しかった螺子固定式花立てでの蓋付き花立てを提供する事により消費者の選択の幅がより
一層ひろがり、また墓石１３と蓋２の向きを容易に変更可能となる為、美観上有効な手段
を提供する。
【００１０】
また、花立て内部下方に銅板を固定させ、銅の殺菌効果により従来の蓋付き花立てよりさらに衛生、環境配慮し害虫対策等に効果を発揮できる。
【考案を実施するための最良の形態】
【００１１】
本考案を実施するための最良の形態は図面をもって説明する。
【００１２】
図２において固定金具８と固定用螺子９は熔接等でナット１０を締結出来る程度の長さで固定されている状態で、墓石１３にはこの固定用螺子９を固定させた固定金具８を固定させる。
【００１３】
墓石１３に固定金具８を固定させた後に、螺子台座７を上に乗せ螺子台座７の内径部より多少小径の丸座金１１を螺子台座７内部下方に固定用螺子９を通して挿入し、その上からナット１０で締結させる事により、固定金具８と螺子台座７が固定される。
【００１４】
螺子台座７と本体１は螺子にて固定されるが、螺子の締結具合により墓石１３と蓋２の向きが合わない場合も発生するが、その際は螺子台座７と本体１の螺子を緩め着脱させた後にナット１０を緩める事により螺子台座７が回転する為、任意の向きを合わせて再度ナット１０を締結し、その後に本体１を螺子台座７に固定させれば墓石１３と蓋２の向きを容易に合わせる事が可能となる。
【００１５】
また、長年使用している際に本体１、螺子台座７の螺子に異物等が混入して向きが合わ
なくなる可能性もあるが、その際も上記に記した通りに本体１を着脱しナット１０を緩め螺子台座７を任意の向きへ回転させる事により容易に墓石１３と蓋２の向きを合わせることが可能であり、長期に渡り初期状態を維持しながらの使用が可能となる。
【００１６】
加えて図２の様に本体１内部下方に銅板１２が固定されていることにより、銅の殺菌効果を利用し害虫等の発生を抑える事が出来き、お墓の花立てに１０円硬貨を入れる事と同様の効果では有るが、硬貨では花立てに入れておいた筈の硬貨が盗難に遭う可能もあり、仮に盗難に遭った場合には銅の殺菌効果が発揮されず、せっかくの蓋付き花立ても効果が半減されるが、本考案の墓前用蓋付き花立ては銅板１２が本体１に熔接等でしっかり固定されている為、盗難防止になるばかりか硬貨ではないので盗難される可能性は極めて低いと考えられる。
【００１７】
本体１に銅板１２を固定させる方法は螺子固定式花立て以外の図３の様な花立てでも実施可能であり、また螺子台座７による固定方法も上記実施例に限定されるものでは無い。
【図面の簡単な説明】
【００１８】
【図１】本体正面図
【図２】Ａ−Ａ‘断面図
【図３】銅板固定図
【図４】斜視図による実施例
【図５】Ｂ詳細図
【符号の説明】
【００１９】
１    本体
２    蓋
３    軸金具
４    本体受金具
５    蓋受金具
６    金具用螺子
７    螺子台座
８    固定金具
９    固定用螺子
１０  ナット
１１  丸座金
１２  銅板
１３  墓石
【図１】
0003134875.tif 000003
【図２】
0003134875.tif 000004
【図３】
0003134875.tif 000005
【図４】
0003134875.tif 000006
【図５】
0003134875.tif 000007
【手続補正書】
【提出日】平成19年6月14日(2007.6.14)
【手続補正１】
【補正対象書類名】実用新案登録請求の範囲
【補正対象項目名】請求項２
【補正方法】変更
【補正の内容】
【請求項２】
本体１内部下方に銅板１２を取り付ける事により、ぼうふら等の害虫駆除等の殺菌に効果を発揮でき、且つ硬貨盗難等に対応可能な事を特徴とする請求項１記載の墓前用蓋付き花立て。